(57)【特許請求の範囲】
【請求項１】
被写体の動画像データを撮像する撮像部と、
前記撮像部が撮像した動画像データを共有するグループを外部の撮像装置との間で形成するグループ化部と、
前記グループ化部が形成したグループ内の前記外部の撮像装置との間で共有する動画像データとして、所定の被写体が所定の態様で撮像された動画像データを選択するための条件を設定する共有条件設定部と、
前記共有条件設定部が設定した条件に基づいて、前記撮像部が撮像した動画像データから前記共有の対象となる部分を共有動画像データとして選別する共有データ選別部と、
前記共有データ選別部が選別した前記共有動画像データを前記グループ内の前記外部の撮像装置に送信する送信部と
前記グループ化部が形成したグループ内の前記外部の撮像装置が撮像を行っているか否かを判定する判定部と
を備え、
前記判定部が前記外部の撮像装置が撮像を行っていないと判定した場合に、前記共有データ選別部は、前記共有条件設定部が設定した条件に基づいて、前記撮像部が撮像した動画像データから前記共有の対象となる部分を共有動画像データとして選別することを特徴とする撮像装置。
【請求項２】
被写体の動画像データを撮像する撮像部と、
前記撮像部が撮像した動画像データを共有するグループを外部の撮像装置との間で形成するグループ化部と、
前記グループ化部が形成したグループ内の前記外部の撮像装置との間で共有する動画像データとして、所定の被写体が所定の態様で撮像された動画像データを選択するための条件を設定する共有条件設定部と、
前記共有条件設定部が設定した条件に基づいて、前記撮像部が撮像した動画像データから前記共有の対象となる部分を共有動画像データとして選別する共有データ選別部と、
前記共有データ選別部が選別した前記共有動画像データを前記グループ内の前記外部の撮像装置に送信する送信部と
前記グループ化部が形成したグループ内の前記外部の撮像装置が撮像を行っているか否かを判定する判定部と
を備え
前記判定部が前記外部の撮像装置が撮像を行っていると判定した場合に、前記共有データ選別部は、前記共有条件設定部が設定した条件に基づいて、前記撮像部が撮像した動画像データから前記共有の対象となる部分を共有動画像データとして選別することを特徴とする撮像装置。
【請求項３】
前記撮像部が撮像した動画像データから被写体の顔画像データを検出する顔検出部をさらに備え、
前記共有条件設定部は、前記顔検出部が検出した顔画像データを前記グループ化部が形成したグループ内の前記外部の撮像装置との間で共有する動画像データの条件に使用することを特徴とする請求項１から請求項２のいずれか１項に記載の撮像装置。
【請求項４】
予め定められた人物の顔画像データを記憶する記憶部と、
前記顔検出部が検出した顔画像データと前記記憶部に記憶された前記顔画像データとを比較し、前記顔検出部が検出した顔画像データが前記予め定められた人物のものであるかどうかを判定し、前記予め定められた人物のものであると判定した場合は、前記撮像部が撮像した動画像データの被写体は前記記憶部に顔画像データを記憶された人物のものであると認識する顔認識部とをさらに備え、
前記共有条件設定部は、前記顔認識部の認識結果を前記グループ化部が形成したグループ内の前記外部の撮像装置との間で共有する動画像データの条件に使用することを特徴とする請求項３に記載の撮像装置。
【請求項５】
第１の撮像装置及び第２の撮像装置を含む撮像データ共有システムであって、
前記第１の撮像装置は、
被写体の動画像データを撮像する撮像部と、
前記撮像部が撮像した動画像データを共有するグループを前記第２の撮像装置との間で形成するグループ化部と、
前記第２の撮像装置との間で共有する動画像データとして、所定の被写体が所定の態様で撮像された動画像データを選択するための条件を設定する共有条件設定部と、
前記共有条件設定部が設定した条件に基づいて、前記撮像部が撮像した動画像データから前記共有の対象となる部分を共有動画像データとして選別する共有データ選別部と、
前記共有データ選別部が選別した前記共有動画像データを前記第２の撮像装置に送信する送信部と、
前記第２の撮像装置が撮像を行っているか否かを判定する判定部とを備え、
前記第２の撮像装置は、前記第１の撮像装置から送信された前記共有動画像データを受信する受信部を備え
前記判定部が撮像を行っていないと判定した場合に、前記共有データ選別部は、前記共有条件設定部が設定した条件に基づいて、前記撮像部が撮像した動画像データから前記共有の対象となる部分を共有動画像データとして選別することを特徴とする撮像データ共有システム
【請求項６】
第１の撮像装置及び第２の撮像装置を含む撮像データ共有システムであって、
前記第１の撮像装置は、
被写体の動画像データを撮像する撮像部と、
前記撮像部が撮像した動画像データを共有するグループを前記第２の撮像装置との間で形成するグループ化部と、
前記第２の撮像装置との間で共有する動画像データとして、所定の被写体が所定の態様で撮像された動画像データを選択するための条件を設定する共有条件設定部と、
前記共有条件設定部が設定した条件に基づいて、前記撮像部が撮像した動画像データから前記共有の対象となる部分を共有動画像データとして選別する共有データ選別部と、
前記共有データ選別部が選別した前記共有動画像データを前記第２の撮像装置に送信する送信部と
前記第２の撮像装置が撮像を行っているか否かを判定する判定部とを備え、
前記第２の撮像装置は、前記第１の撮像装置から送信された前記共有動画像データを受信する受信部を備え
前記判定部が撮像を行っていると判定した場合に、前記共有データ選別部は、前記共有条件設定部が設定した条件に基づいて、前記撮像部が撮像した動画像データから前記共有の対象となる部分を共有動画像データとして選別することを特徴とする撮像データ共有システム。
【請求項７】
撮像部に動画像データを撮像させ、
前記撮像部に撮像させた動画像データを共有するグループを外部の撮像装置との間で形成させ、
前記形成させたグループ内の前記外部の撮像装置との間で共有する動画像データとして、所定の被写体が所定の態様で撮像された動画像データを選択するための条件を設定させ、
前記設定させた条件に基づいて、前記撮像部に撮像させた動画像データから前記共有の対象となる部分を共有動画像データとして選別させ、
前記形成させたグループ内の前記外部の撮像装置が撮像を行っているか否かを判定させ、
前記外部の撮像装置が撮像を行っていないと判定した場合に、前記条件に基づいて、前記撮像部が撮像した動画像データから前記共有の対象となる部分を共有動画像データとして選別させ、
前記選別させた共有動画像データを前記形成させたグループ内の前記外部の撮像装置に送信させる処理をコンピュータに実行させるプログラム。 
【請求項８】
撮像部に動画像データを撮像させ、
前記撮像部に撮像させた動画像データを共有するグループを外部の撮像装置との間で形成させ、
前記形成させたグループ内の前記外部の撮像装置との間で共有する動画像データとして、所定の被写体が所定の態様で撮像された動画像データを選択するための条件を設定させ、
前記設定させた条件に基づいて、前記撮像部に撮像させた動画像データから前記共有の対象となる部分を共有動画像データとして選別させ、
前記形成させたグループ内の前記外部の撮像装置が撮像を行っているか否かを判定させ、前記外部の撮像装置が撮像を行っていると判定した場合に、前記条件に基づいて、前記撮像部が撮像した動画像データから前記共有の対象となる部分を共有動画像データとして選別させ、
前記選別させた共有動画像データを前記形成させたグループ内の前記外部の撮像装置に送信させる処理をコンピュータに実行させるプログラム。
【発明の詳細な説明】
【技術分野】
【０００１】
本発明は撮像装置、撮像データ共有システム、及びプログラムに関し、より詳細には、撮像された動画像データから共有対象とする動画像データを所定の条件に基づいて選別し、選別された動画像データを他の撮像装置と共有することができる撮像装置、撮像データ共有システム、及びプログラムに関する。
【背景技術】
【０００２】
近年、通信技術の発達及びデジタルカメラ等の普及により、あるユーザによってデジタルカメラ等で撮像された撮像データが、ネットワーク通信を通じて他のユーザのＰＣ（Personal Computer）やデジタルカメラ等に送信され、複数のユーザ間で共有されるということが一般化している。例えば、ＩＥＥＥ８０２．１１規格に準拠した無線通信によるネットワーク機能を搭載したデジタルカメラ等により、複数のユーザが、同一の風景、例えば結婚式の風景等を撮像し、その場で各ユーザが互いの撮像データを共有するというようなことも一般的に行われるようになってきている。
【０００３】
このように撮像データの共有が手軽に行える環境が整ってくると、次に撮像データの共有そのものをより効率的に行いたいとの要請が出てくる。この要請に応える技術として、例えば以下のようなものがある。
【０００４】
特許文献１には、外部装置から撮像データの送信要求を受信し、その送信要求を受信した日時を示す時間情報、又は送信要求の中で別途特定された時間情報を抽出し、抽出されたこれらの時間情報に対応付けられた撮像データを、送信要求を行った外部装置に送信する撮像装置に関する技術が開示されている。
【０００５】
この撮像装置によれば、ユーザは、同じ撮像現場に居合わせている他のユーザが撮像した画像を、そのユーザが欲しいと思った瞬間に所定の操作をするだけで、周囲の不特定多数のユーザの撮像装置が撮像した撮像データの中から、その所定の操作をしたタイミングに近い時間範囲内で撮像されたものだけが自動的に選別されて受信され、効率的に撮像データの共有が行える。
【０００６】
特許文献２には、ユーザが撮像している撮像データから被写体のＩＤを入手し、同一の風景を撮像している他のユーザの撮像装置から、そのＩＤに対応する被写体が撮像されている撮像データを取得することができる撮像装置に関する技術が開示されている。
【０００７】
この撮像装置によれば、ユーザは自らが撮像している被写体と同じ被写体を撮像している他の撮像装置の撮像データを自動的に選別して取得することができ、効率的に撮像画像の共有が行える。
【先行技術文献】
【特許文献】
【０００８】
【特許文献１】特開２００９−１７１４９１号公報
【特許文献２】特開２０１０−１９９８１６号公報
【発明の概要】
【発明が解決しようとする課題】
【０００９】
ところで、ネットワークを介して共有される撮像データが動画像データであった場合、当然、そのデータサイズは静止画像データに比べて、はるかに大きなものとなる。従って、共有されるのが動画像データであった場合、静止画像データと比べて複数の撮像装置間における送受信には長時間を要するという問題が生じる。また、共有された動画像データは撮像装置が搭載している記録媒体の容量を圧迫するという問題もあり、さらには共有後の新たな撮像データの取得が制限してしまうという問題も誘発する。
【００１０】
加えて、撮像データが動画像データであった場合は、静止画像データの場合と異なり、ユーザはその内容を一目で判断することができない。すなわち、ユーザは、逐一その動画像データを再生して目視によりその内容を確認しなければ、撮像データ中における、所望の被写体が望ましい態様で撮影された部分を選別することができないという問題がある。
【００１１】
ここで、上記特許文献１に記載の技術では、共有される撮像データを時間情報から選別してはいるが、共有される撮像データが動画像データであった場合には、時間情報を相当な短時間に限定しなければ、共有される動画像データの総量は極めて大きなものとなってしまう。従って、データの送受信に長時間を要する問題、又は共有されたデータが各人のカメラの記録媒体の容量を圧迫し、共有後の新たな撮像データの取得が制限されるという問題が生じることが推察される。加えて、共有の際に、共有対象となる動画像データの内容は考慮されていないため、ユーザは共有された全ての動画像データを一度再生して内容を確認し、所望の被写体が望ましい態様で撮影された部分を選別しなければならないという問題が生じることが推察される。
【００１２】
特許文献２に記載の技術では、ＩＤで対応付けられた特定の被写体の動画像データを選別して、その動画像データのみを共有対象とできるものの、共有対象となった動画像データにおいて目的の被写体が望ましい態様で撮像されているかどうかは、ユーザが逐一その動画像データを再生して内容を確認しなければ判断することができない。また、ユーザが、ある被写体の撮像中に別の被写体の撮像を望んでも、その別の被写体をＩＤで対応づけることはできない。従って、特許文献２に記載の技術では、他のユーザがその別の被写体を撮像しており、ユーザがその別の被写体の撮像データを共有してもらいたいと望んでも、その撮像データは共有対象とはならないという問題も生じることも推察される。
【００１３】
本発明はこのような問題に鑑みてなされたものであり、複数のユーザが撮像した動画像データを共有する場合に、事前に設定された所定の条件に基づいて所望の被写体が望ましい態様で撮影された部分の動画像データを共有対象として選別し、選別された動画像データを他の撮像装置と共有することで、共有に要する時間を短縮し、また記録媒体の容量の圧迫を低減することができる撮像装置、撮像データ共有システム、及びプログラムを提供することを目的とする。
【００１４】
また、本発明は、事前に設定された所定の条件に基づいて所望の被写体が望ましい態様で撮影された部分の動画像データを共有対象として選別することで、そもそもユーザにとって不要となる撮像データが共有対象となることを防止し、ユーザがそういった不要な撮像データを目視により確認する手間を削減することができる撮像装置、撮像データ共有システム、及びプログラムを提供することを目的とする。
【課題を解決するための手段】
【００１５】
本発明は、被写体の動画像データを撮像する撮像部（１００）と、前記撮像部（１００）が撮像した動画像データを共有するグループを外部の撮像装置（２又は３）との間で形成するグループ化部（４０１）と、前記グループ化部（４０１）が形成したグループ内の前記外部の撮像装置（２又は３）との間で共有する動画像データとして、所定の被写体が所定の態様で撮像された動画像データを選択するための条件を設定する共有条件設定部（４０５）と、前記共有条件設定部（４０５）が設定した条件に基づいて、前記撮像部（１００）が撮像した動画像データから前記共有の対象となる部分を共有動画像データとして選別する共有データ選別部（４０６）と、前記共有データ選別部（４０６）が選別した前記共有動画像データを前記グループ内の前記外部の撮像装置（２又は３）に送信する送信部（３１０）と、前記グループ化部（４０１）が形成したグループ内の前記外部の撮像装置（２又は３）が撮像を行っているか否かを判定する判定部（４０２）を備え、前記判定部（４０２）が前記外部の撮像装置（２又は３）が撮像を行っていないと判定した場合に、前記共有データ選別部（４０６）は、前記共有条件設定部（４０５）が設定した条件に基づいて、前記撮像部（１００）が撮像した動画像データから前記共有の対象となる部分を共有動画像データとして選別することを特徴とする撮像装置（１）を提供する。
【００１６】
本発明に係る撮像装置（１）によれば、複数のユーザが撮像した動画像データを共有する場合に、共有データ選別部（４０６）が共有条件設定部（４０５）が設定した条件に基づき、撮像された被写体画像データ等から共有対象となる動画像データを選別し、選別された動画像データを他の撮像装置と共有することができる。よって、共有に要する時間を短縮し、また記録媒体の容量の圧迫を低減することができる。また、そもそもユーザにとって不要となる撮像データが共有対象となることを防止し、ユーザがそういった不要な撮像データを目視により確認する手間を削減することができる。
【００１８】
上記撮像装置（１）はさらに、例えば、外部の撮像装置（２又は３）のユーザが休憩等で撮像を行っていなくても、上記撮像装置（１）のユーザが撮像した動画像データを、選別してその外部の撮像装置のユーザに送信することができる。よって、複数の撮像装置が重複して撮像していた動画像データを始めとした不要な動画像データの共有に要する時間を省略することができる。またこれらの不要な動画像データが記録媒体の容量を圧迫するのを防止することができる。或は、重複していない動画像データの中でも選別された動画像データが共有されているので、ユーザが不要な撮像データを目視により確認する手間をさらに削減することができる。
【００１９】
本発明は、被写体の動画像データを撮像する撮像部（１００）と、前記撮像部（１００）が撮像した動画像データを共有するグループを外部の撮像装置（２又は３）との間で形成するグループ化部（４０１）と、前記グループ化部（４０１）が形成したグループ内の前記外部の撮像装置（２又は３）との間で共有する動画像データとして、所定の被写体が所定の態様で撮像された動画像データを選択するための条件を設定する共有条件設定部（４０５）と、前記共有条件設定部（４０５）が設定した条件に基づいて、前記撮像部（１００）が撮像した動画像データから前記共有の対象となる部分を共有動画像データとして選別する共有データ選別部（４０６）と、前記共有データ選別部（４０６）が選別した前記共有動画像データを前記グループ内の前記外部の撮像装置（２又は３）に送信する送信部（３１０）と、前記グループ化部（４０１）が形成したグループ内の前記外部の撮像装置（２又は３）が撮像を行っているか否かを判定する判定部（４０２）を備え、前記判定部（４０２）が前記外部の撮像装置（２又は３）が撮像を行っていると判定した場合に、前記共有データ選別部（４０６）は、前記共有条件設定部（４０５）が設定した条件に基づいて、前記撮像部（１００）が撮像した動画像データから前記共有の対象となる部分を共有動画像データとして選別することを特徴とする撮像装置（１）を提供する。
【００２０】
上記のような構成とすることで上記撮像装置（１）はさらに、上記撮像装置（１）のユーザが撮像した動画像データと同じ時間帯の他の撮像装置のユーザの動画像データを共有対象とすることができる。よって、他のユーザが自分よりも上手く撮像した動画像データ等、撮像後の編集作業時に自分の撮像データとの差替えの対象となる動画像データを自動的に選別して取得することができる。
【００２１】
上記撮像装置（１）は、前記撮像部（１００）が撮像した動画像データから被写体の顔画像データを検出する顔検出部（４０３）をさらに備え、前記共有条件設定部（４０５）は、前記顔検出部（４０３）が検出した顔画像データを前記グループ化部（４０１）が形成したグループ内の前記外部の撮像装置（２又は３）との間で共有する動画像データの条件に使用するようにしてもよい。
【００２２】
上記撮像装置（１）を上記構成とすることで、被写体として人物を撮像した撮像データを共有の対象として選別することができる。よって、上記撮像装置（１）のユーザと同様に、他の撮像装置（２又は３）のユーザも撮像した撮像現場の風景等の撮像データのような、一つの撮像データさえあれば、様々なアングルの撮像データは不要なものを予め除外し、様々なアングルの撮像データが必要とされる人物の撮像データのみを共有の対象とすることができる。
【００２３】
上記撮像装置（１）は、予め定められた人物の顔画像データを記憶する記憶部（４０７）と、前記顔検出部（４０３）が検出した顔画像データと前記記憶部（４０７）に記憶された前記顔画像データとを比較し、前記顔検出部（４０３）が検出した顔画像データが前記予め定められた人物のものであるかどうかを判定し、前記予め定められた人物のものであると判定した場合は、前記撮像部（１００）が撮像した動画像データの被写体は前記記憶部（４０７）に顔画像データを記憶された人物のものであると認識する顔認識部（４０４）とをさらに備え、前記共有条件設定部（４０５）は、前記顔認識部（４０４）の認識結果を前記グループ化部（４０１）が形成したグループ内の前記外部の撮像装置（２又は３）との間で共有する動画像データの条件に使用するようにしてもよい。
【００２４】
上記撮像装置（１）を上記構成とすることで、さらに、被写体として特定の人物を撮像した撮像データのみを共有の対象として選別することができる。
【００２５】
本発明は、さらに、第１の撮像装置（１）及び第２の撮像装置（２又は３）を含む撮像データ共有システムであって、前記第１の撮像装置（１）は、被写体の動画像データを撮像する撮像部（１００）と、前記撮像部（１００）が撮像した動画像データを共有するグループを前記第２の撮像装置（２又は３）との間で形成するグループ化部（４０１）と、前記第２の撮像装置（２又は３）との間で共有する動画像データとして、所定の被写体が所定の態様で撮像された動画像データを選択するための条件を設定する共有条件設定部（４０５）と、前記共有条件設定部（４０５）が設定した条件に基づいて、前記撮像部（１００）が撮像した動画像データから前記共有の対象となる部分を共有動画像データとして選別する共有データ選別部（４０６）と、前記共有データ選別部（４０６）が選別した前記共有動画像データを前記第２の撮像装置に送信する送信部（３１０）と前記第２の撮像装置が撮像を行っているか否かを判定する判定部（４０２）を備え、前記第２の撮像装置（２又は３）は、前記第１の撮像装置（１）から送信された前記共有動画像データを受信する受信部を備え、前記判定部（４０２）が撮像を行っていないと判定した場合に、前記共有データ選別部（４０６）は、前記共有条件設定部（４０５）が設定した条件に基づいて、前記撮像部（１００）が撮像した動画像データから前記共有の対象となる部分を共有動画像データとして選別することを特徴とする撮像データ共有システムを提供する。
【００２６】
本発明に係る撮像データ共有システムによれば、複数のユーザが撮像した動画像データを共有する場合に、共有データ選別部（４０６）が共有条件設定部（４０５）が設定した条件に基づき、撮像された被写体画像データ等から共有対象となる動画像データを選別し、選別された動画像データを他の撮像装置と共有することができる。よって、共有に要する時間を短縮し、また記録媒体の容量の圧迫を低減することができる。また、そもそもユーザにとって不要となる撮像データが共有対象となることを防止し、ユーザがそういった不要な撮像データを目視により確認する手間を削減することができる。
【００２８】
上記撮像データ共有システムはさらに、例えば、外部の撮像装置（２又は３）のユーザが休憩等で撮像を行っていなくても、上記撮像装置（１）のユーザが撮像した動画像データを、選別してその外部の撮像装置のユーザに送信することができる。よって、複数の撮像装置が重複して撮像していた動画像データを始めとした不要な動画像データの共有に要する時間を省略することができる。またこれらの不要な動画像データが記録媒体の容量を圧迫するのを防止することができる。或は、重複していない動画像データの中でも選別された動画像データが共有されているので、ユーザが不要な撮像データを目視により確認する手間をさらに削減することができる。
【００２９】
本発明は、さらに、第１の撮像装置（１）及び第２の撮像装置（２又は３）を含む撮像データ共有システムであって、前記第１の撮像装置（１）は、被写体の動画像データを撮像する撮像部（１００）と、前記撮像部（１００）が撮像した動画像データを共有するグループを前記第２の撮像装置（２又は３）との間で形成するグループ化部（４０１）と、前記第２の撮像装置（２又は３）との間で共有する動画像データとして、所定の被写体が所定の態様で撮像された動画像データを選択するための条件を設定する共有条件設定部（４０５）と、前記共有条件設定部（４０５）が設定した条件に基づいて、前記撮像部（１００）が撮像した動画像データから前記共有の対象となる部分を共有動画像データとして選別する共有データ選別部（４０６）と、前記共有データ選別部（４０６）が選別した前記共有動画像データを前記第２の撮像装置に送信する送信部（３１０）と前記第２の撮像装置が撮像を行っているか否かを判定する判定部（４０２）を備え、前記第２の撮像装置（２又は３）は、前記第１の撮像装置（１）から送信された前記共有動画像データを受信する受信部を備え、前記判定部（４０２）が撮像を行っていると判定した場合に、前記共有データ選別部（４０６）は、前記共有条件設定部（４０５）が設定した条件に基づいて、前記撮像部（１００）が撮像した動画像データから前記共有の対象となる部分を共有動画像データとして選別することを特徴とする撮像データ共有システムを提供する。
【００３０】
上記撮像装置（１）はさらに、上記撮像装置（１）のユーザが撮像した動画像データと同じ時間帯の他の撮像装置のユーザの動画像データを共有対象とすることができる。よって、他のユーザが自分よりも上手く撮像した動画像データ等、撮像後の編集作業時に自分の撮像データとの差替えの対象となる動画像データを自動的に選別して取得することができる。
【００３１】
本発明は、さらに、撮像部に動画像データを撮像させ、前記撮像部に撮像させた動画像データを共有するグループを外部の撮像装置との間で形成させ、前記形成させたグループ内の前記外部の撮像装置との間で共有する動画像データとして、所定の被写体が所定の態様で撮像された動画像データを選択するための条件を設定させ、前記設定させた条件に基づいて、前記撮像部に撮像させた動画像データから前記共有の対象となる部分を共有動画像データとして選別させ、前記形成させたグループ内の前記外部の撮像装置が撮像を行っているか否かを判定させ、前記外部の撮像装置が撮像を行っていないと判定した場合に、前記条件に基づいて、前記撮像部が撮像した動画像データから前記共有の対象となる部分を共有動画像データとして選別させ、前記選別させた共有動画像データを前記形成させたグループ内の前記外部の撮像装置に送信させる処理をコンピュータに実行させるプログラムを提供する。
また本発明は、さらに、撮像部に動画像データを撮像させ、前記撮像部に撮像させた動画像データを共有するグループを外部の撮像装置との間で形成させ、前記形成させたグループ内の前記外部の撮像装置との間で共有する動画像データとして、所定の被写体が所定の態様で撮像された動画像データを選択するための条件を設定させ、前記設定させた条件に基づいて、前記撮像部に撮像させた動画像データから前記共有の対象となる部分を共有動画像データとして選別させ、前記形成させたグループ内の前記外部の撮像装置が撮像を行っているか否かを判定させ、前記外部の撮像装置が撮像を行っていると判定した場合に、前記条件に基づいて、前記撮像部が撮像した動画像データから前記共有の対象となる部分を共有動画像データとして選別させ、前記選別させた共有動画像データを前記形成させたグループ内の前記外部の撮像装置に送信させる処理をコンピュータに実行させるプログラムを提供する。
【００３２】
本発明に係るプログラムによれば、複数のユーザが撮像した動画像データを共有する場合に、共有データ選別部（４０６）が共有条件設定部（４０５）が設定した条件に基づき、撮像された被写体画像データ等から共有対象となる動画像データを選別し、選別された動画像データを他の撮像装置と共有することができる。よって、共有に要する時間を短縮し、また記録媒体の容量の圧迫を低減することができる。また、そもそもユーザにとって不要となる撮像データが共有対象となることを防止し、ユーザがそういった不要な撮像データを目視により確認する手間を削減することができる。
【発明の効果】
【００３３】
本発明に係る撮像装置、撮像データ共有システム、及びプログラムによれば、複数のユーザが撮像した動画像データを共有する場合に、事前に設定された所定の条件に基づいて所望の被写体が望ましい態様で撮影された部分の動画像データを共有対象として選別し、選別された動画像データを他の撮像装置と共有することで、共有に要する時間を短縮し、また記録媒体の容量の圧迫を低減することができる。
【００３４】
また、本発明に係る撮像装置、撮像データ共有システム、及びプログラムによれば、事前に設定された所定の条件に基づいて所望の被写体が望ましい態様で撮影された部分の動画像データを共有対象として選別することで、そもそもユーザにとって不要となる撮像データが共有対象となることを防止し、ユーザがそういった不要な撮像データを目視により確認する手間を削減することができる。
【図面の簡単な説明】
【００３５】
【図１】本発明の実施形態に係る撮像装置（デジタルビデオカメラ）１の内部構成の例を示すブロック図である。
【図２】本発明の本実施形態に係る撮像データ共有システムの構成例を示す図である。
【図３】撮像装置１が他の撮像装置とグループを形成するグループ化処理について説明するフローチャートである。
【図４】撮像装置１のグループ化処理の対象として検出された他の撮像装置をユーザに知らせる画面の例を示す図である。
【図５】撮像装置１のグループ化処理の対象として検出された他の撮像装置が存在しなかった旨をユーザに知らせる画面の例を示す図である。
【図６】複数の撮像装置間で共有された顔画像データが表示された例を示す図である。
【図７】撮像装置１による第１の共有動画像データ選別処理を説明するためのフローチャートである。
【図８】第１の共有動画像データ選別処理により共有された各動画像データの表示態様を示す図である。
【図９】撮像装置１による第2の共有動画像データ選別処理を説明するためのフローチャートである。
【図１０】第２の共有動画像データ選別処理により共有された各動画像データの表示態様を示す図である。
【発明を実施するための形態】
【００３６】
以下に図面を参照しながら、本発明に係る撮像装置、撮像データ共有システム、及びプログラムの好適な実施形態を説明する。
【００３７】
かかる実施形態に示す具体的な数値及び日時等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３８】
図１は、本発明の実施形態に係る撮像装置（デジタルビデオカメラ）１の内部構成の例を示すブロック図である。撮像装置１は動画像及び静止画像を撮像することができる。なお、本発明は、動画像を撮像できるものであれば、いわゆるコンパクトデジタルカメラ等のデジタルスチルカメラをはじめ、カメラ付きの携帯電話、ＰＨＳ（Personal Handyphone System）、及びＰＤＡ（Personal Digital Assistant）等、その他の電子機器においても採用することができる。
【００３９】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成され、撮像処理、各種画像の表示処理、及び記録処理、並びに後述する他の撮像装置とグループを形成するグループ化の処理及び共有対象となる動画像データの選別処理を統括的に制御する。
【００４０】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００４１】
撮像装置１を用いた撮像は以下の手順で行われる。撮像素子１０４はズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０６に格納する。
【００４２】
デジタル信号処理部１０８は、バス２００を介して中央制御部４００からの指令に基づき、メインメモリ２０６に格納された撮像データを取り込み、所定の信号処理を施して輝度信号と色差信号とからなる撮像データを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、及び光源種別判定処理等の各種デジタル補正を行う。
【００４３】
マイク１０９は撮像時の周囲の音声を集音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０６に格納する。
【００４４】
多重化部１１３は、メインメモリ２０６に格納された撮像データ及びデジタル音声データを多重化してストリームデータを生成する。
【００４５】
圧縮・伸長処理部２０１は、バス２００を介して中央制御部４００からの指示に従い、メインメモリ２０６に格納されたストリームデータに所定の圧縮処理を施し、圧縮データを生成する。また、中央制御部４００からの指令に従い、カード型記録媒体３０２等に格納された圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００４６】
音声・画像処理部２０２は、バス２００を介して中央制御部４００の指示に従い、メインメモリ２０６から読み出したデジタルデータに所定の画像処理を施したり、ＲＯＭ２０３に予め記録されているデータから各種メニュー画像を生成したりする。例えばメニュー画像やＯＳＤ画像等、各種処理のための画像データを生成し、その画像データをメインメモリ２０６から読み出されたオリジナルの撮像データに重畳させて液晶モニタ３０４に出力する。この出力によって、液晶モニタ３０４に表示される画像は各種画像データが合成されたものとなる。
【００４７】
ＲＯＭ２０３はバス２００を介して中央制御部４００に接続されており、中央制御部４００が実行する制御プログラム及び制御に必要な各種データ等を格納している。フラッシュＲＯＭ２０４は、ユーザの設定情報等、撮像装置１の動作に関する各種設定情報を格納している。
【００４８】
ＶＲＡＭ（Video RAM）２０５は、液晶モニタ３０４等への表示用の画像データの一時記憶領域として使用される。メインメモリ２０６は、各種画像データや音声データの一時記憶領域として使用されるとともに、中央制御部４００の演算作業領域としても使用される。メインメモリ２０６は、例えばＥＰＲＯＭ（Erasable Programmable Read Only Memory）、ＥＥＰＲＯＭ（Electrically Erasable PROM）、不揮発性ＲＡＭ、フラッシュメモリ、又はＨＤＤ（Hard Disk Drive）等の記憶媒体で構成される。
【００４９】
メディア制御部２０７は、中央制御部４００の指令に従い、カードＩ／Ｆ３０１を通じてカード型記録媒体３０２へのデータの書き込みやデータの読み出しを制御する。カード型記録媒体３０２としては、撮像装置１に着脱可能なＳＤ（Secure Digital）メモリカード等が使用される。但し、カード型記録媒体の替りに、ＤＶＤ、ＢＤ（Blu-ray Disc）、若しくはフラッシュメモリ等の他の記録媒体を使用する、又は撮像装置１に内蔵されたＨＤＤ（Hard Disc Drive）等で構成することができることはいうまでもない。
【００５０】
ジャイロセンサ２０８は、撮像の際の撮像装置１の３軸の加速度及び角速度の変化を検出し、手ぶれ補正部２１０が行う手ぶれの検出、手ぶれ量の算出、及び手ぶれ補正等に利用される。時計２０９は、撮像データの取得日時の情報を生成し、また後述する動画像データの共有処理の際に、他の撮像装置との時刻情報の同期に使用される。
【００５１】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０６に一時記録された撮像データや各種メニュー画像データ等、各種画像データから生成された画像を表示する。スピーカ３０５は、例えばメインメモリ２０５やカード型記録媒体３０２に一時記録された音声を出力する。
【００５２】
操作部３０６は、図示しないリレーズ・スイッチや電源スイッチを含む操作キー、十字キー、ジョイスティック、又は液晶モニタ３０４上に重畳されたタッチパネル等から構成されており、ユーザの撮像装置１への操作入力を受け付ける。入出力端子３０７は、図示しないテレビモニタやＰＣ（Personal  Computer）等に接続される。入出力端子３０７は、ＨＤＭＩ（High-Definition Multimedia Interface）端子、ＵＳＢ（Universal Serial Bus）端子、ＩＥＥＥ  １３９４規格に準拠した各種出力端子等で構成することができる。
【００５３】
代表画像生成部３０８は、メインメモリ２０６やカード型記録媒体３０２に記録された動画像データに関し、既知の方法によりその動画像データを表す静止画像データを生成し、各種サムネイル画像等を生成する。
【００５４】
無線通信部３１０は、バス２００及び無線Ｉ／Ｆ３０９を介して、後述する他の撮像装置とグループを形成するグループ化の処理におけるグループ化情報やグループ解除情報、顔画像ＤＢ４０７に記録された顔画像情報、共有対象となる動画像データ、及び共有対象となる動画像データの条件に関する情報を他の撮像装置との間で無線通信により送受信する。各種情報及びデータ等の無線通信はＩＥＥＥ８０２．１１規格に準拠した方式で行われる。
【００５５】
図２は、撮像装置１の無線モジュール３１０を介した無線通信ネットワークシステムによる、本実施形態に係る撮像データ共有システムの構成例を示す図である。
【００５６】
図２（ａ）では、撮像装置１は、外部装置である撮像装置（デジタルビデオカメラ）２や撮像装置（デジタルスチルカメラ）３と無線通信可能となっており、各撮像装置は被写体Ａを撮像している。各撮像装置は被写体Ａの動画像データを相互に共有しあうことになる。
【００５７】
また、図２（ｂ）では、各撮像装置は同じく無線通信可能となっており、撮像装置１及び撮像装置３は被写体Ａを撮像し、撮像装置２は被写体Ｂを撮像している。本実施形態に係る撮像装置１（及び撮像装置２、撮像装置３）によれば、後述するグループ化処理の際の条件設定によって、異なった位置にいる異なった被写体を撮像した動画像データを、相互に共有することもできる。したがって、撮像装置１が撮像した被写体Ａの動画像データ、撮像装置２が撮像した被写体Ｂの動画像データ、及び撮像装置３が撮像した被写体Ａの動画像データをそれぞれ共有することができる。
【００５８】
なお、撮像装置２及び撮像装置３は、撮像装置１と基本的な構成は同様であり、各撮像装置が備える無線モジュールを介して上記各種情報が送受信され、共有される。これらの機器同士がそれぞれ共通の無線接続情報を記憶しており、その無線接続情報に基づいて各機器間の接続動作を行う。
【００５９】
中央制御部４００はまた、以下に処理を詳述する、他の撮像装置と動画像データを共有するグループを形成するグループ化の処理（以下、単に「グループ化処理」ともいう。）において、グループ化部４０１として機能する。
さらに、同じく以下に処理を詳述する、グループ化された撮像装置間における動画像データの共有の処理（以下、「グループ撮像処理」という。）において、判定部４０２、顔検出部４０３、顔認識部４０４、共有条件設定部４０５、及び共有データ選別部４０６として機能する。
【００６０】
グループ化部４０１は、グループ化処理の際に、まずグループ化することができる他の撮像装置が撮像装置１の周囲の所定の範囲内、例えば撮像装置１を中心に半径約３０メートルの範囲内に存在するか否かを探索するためのグループ化情報を、無線モジュール３１０に送信させる。そして、そのグループ化情報を受信した他の撮像装置から送信（返信）されたグループ化情報を無線モジュール３１０から受信したことを確認して、撮像装置１とその他の撮像装置とをグループ化することができる旨を特定する。
【００６１】
判定部４０２は、グループ化部４０１が撮像装置１とグループ化した他の撮像装置が、動画像を撮像中であるかどうかを判定する。具体的には、グループ化された他の撮像装置が録画ボタンをＯＮにした旨の情報及びＯＦＦにした旨の情報を無線モジュール３１０が受信し、その受信結果からその他の撮像装置が撮像中か否かを判定する。
【００６２】
顔検出部４０３は中央制御部４００からの指示に応じて、メインメモリ２０６に一時記憶された動画像データから、人物の顔画像データを検出する。顔画像データの検出は、既知の方法により顔画像データ全体の輪郭または目、口、鼻、耳等の顔の構成要素のデータから特徴量を算出し、その特徴量に基づくテンプレートマッチングによって行われる。または、肌の色に近い領域データを検出し、その領域を顔画像データの領域として検出してもよい。
【００６３】
顔認識部４０４は、顔画像ＤＢ４０７に予め記録されている所定の人物の顔画像データの特徴量と、顔検出部４０３が動画像データから検出した顔画像データの特徴量とを比較する。そして、顔認識部４０４は、顔検出部が検出した顔画像データの特徴量と顔画像ＤＢ４０７が記録している特徴量とが所定の範囲内で一致した場合は、検出された顔画像データは顔画像ＤＢに登録された顔画像データを有する人物のものであると認識する。
【００６４】
共有条件設定部４０５は、撮像装置１がグループ化された他の撮像装置を共有する、すなわち互いに送受信する動画像データの条件を設定する。共有条件設定部４０５は例えば、撮像装置１が他の撮像装置に送信する動画像データ若しくは他の撮像装置から受信する動画像データを所定の人物が撮像されたものに限定する、顔検出部４０３が検出した顔画像データからなる顔画像のサイズが所定の大きさ以上の動画像データのみを他の撮像装置に送信する若しくは他の撮像装置から受信する、又は手ぶれ補正部２１０がジャイロセンサ２０８の出力結果から算出した手ぶれ量が所定の範囲内にある動画像データのみを他の撮像装置に送信する若しくは他の撮像装置から受信する等の条件を設定する。
【００６５】
共有データ選別部４０６は、共有条件設定部４０５が設定した条件に基づき、メインメモリ２０６に記憶された動画像データから、他の撮像装置に送信する共有対象となる部分の動画像データを選別する。共有データ選別部４０６による選別は、動画像データとは別のファイル（隠しファイルであってもよい）に動画像データ中の選別された箇所の始点と終点を示す情報を格納し、動画像データのヘッダを介し、その動画像データと結びつけて行う。又は動画像データ中の選別された箇所の始点と終点を示す情報を動画像データと同一のファイルに格納し、動画像データのヘッダを介してその動画像データと結びつけて行ってもよい。
【００６６】
＜グループ化処理＞
以下に撮像装置１が他の撮像装置と動画像データを共有するグループを形成するグループ化の処理（方法）について、図３を参照しながら詳述する。なお、説明及び理解の容易のため、撮像装置１とグループ化される対象として図２で例示した撮像装置２又は撮像装置３を例に挙げて以下を説明するが、グループ化処理の対象となる撮像装置の数や種類がこれに限定されるわけではない。
【００６７】
図３は、撮像装置１が他の撮像装置とグループを形成するグループ化処理について説明するフローチャートである。ユーザが操作部３０６の図示しないボタンを押下等すると、グループ化部４０１は撮像装置１の周囲の所定の範囲内に、グループ化することができる他の撮像装置が存在するかどうかの探索を行う（ステップＳ１０１）。この探索は、グループ化部４０１が、無線モジュール３１０からグループ化情報を所定の範囲、例えば撮像装置１を中心とした半径約３０メートル範囲内に送信し、そのグループ化情報を受信して、同じくグループ化情報を無線モジュール３１０に返信してくる他の撮像装置があるかどうかを判断することで行われる。
【００６８】
グループ化部４０１がグループ化することができる他の撮像装置を検出すると（ステップＳ１０２でＹＥＳ）、液晶モニタ３０４に検出された他の撮像装置のリストを表示する（ステップＳ１０３）。検出された撮像装置のリストは、例えば図４に例示するような態様で表示される。図４は、撮像装置１の周辺の所定の範囲内にあった撮像装置２及び撮像装置３が検出され、液晶モニタ３０４に表示されたところを示している。
【００６９】
音声・画像処理部２０２が、検出された撮像装置の中からグループ化するものを選択するようユーザに促す画像Ｇ４１、撮像装置２が検出された旨を示す画像Ｇ４２、撮像装置３が検出された旨を示す画像Ｇ４３、及びユーザの選択を示す画像Ｇ４４又はＧ４５が合成されたリスト画像Ｇ４０を生成し、液晶モニタ３０４がそのリスト画像Ｇ４０を表示する。
【００７０】
ここで撮像装置２が検出された旨を示す画像Ｇ４２、又は撮像装置３が検出された旨を示す画像Ｇ４３は、例えばモデルナンバ等、各撮像装置の固有の情報で構成されていても良いし、ユーザ名等、ユーザが自分の撮像装置に個別に登録したユーザの情報で構成されていても良い。図２では、説明及び理解の容易のために「撮像装置２」又は「撮像装置３」と記載する。
【００７１】
ユーザはリストに表示された撮像装置の中から、グループ化する撮像装置を選択する。ユーザは操作部３０６の図示しないタッチパネルを押圧する、又は図示しないカーソルボタンを操作する等して、この選択を行う。リストの中から選択された撮像装置は、例えば図４に示すようにチェック画像Ｇ４６を重畳する等して、選択されていない撮像装置を区別できる態様で表示される。図４では、ユーザが撮像装置２を選択し、撮像装置３はまだ選択していないという場合の、表示態様を表している。
【００７２】
ユーザがグループ化の対象とする撮像装置の選択を完了すると（ステップＳ１０５でＹＥＳ）、グループ化部４０１はグループ化の対象となる撮像装置を特定する（ステップＳ１０６）。以下のステップＳ１０７以降の説明では、説明及び理解の容易のため、ユーザが撮像装置２及び撮像装置３を選択した場合を例に挙げて説明する。しかし、ユーザが撮像装置２又は撮像装置３のみを選択した場合でも、各撮像装置間で同様の処理が可能なことは言うまでもない。
【００７３】
一方で、グループ化部４０１がグループ化することができる他の撮像装置を検出しなかった場合（ステップＳ１０２でＮＯ）、液晶モニタ３０４はグループ化することができる他の撮像装置が検出できなかった旨を表示する（ステップＳ１０４）。この旨は、例えば図５に例示するような態様で表示される。
【００７４】
音声・画像処理部２０２が、グループ化することができる他の撮像装置を検出できなかった旨を示す画像Ｇ５１からなる画像Ｇ５０を生成し、液晶モニタ３０４がその画像Ｇ５１を表示する。そして、このグループ化処理が終了される。
【００７５】
ステップＳ１０６で、グループ化の対象となる他の撮像装置が特定されると、撮像装置１を含むグループの全撮像装置間で、動画像データのタイムスタンプを同期するために、時刻情報が共有される（ステップＳ１０７）。タイムスタンプの同期は、例えばグループ内の一つの撮像装置、例えば撮像装置１の時計２０９の時刻情報を基礎とし、グループ内の他の撮像装置、すなわち撮像装置２及び撮像装置３の時計の時刻情報を撮像装置１のものと同一とすることで行われる。基礎となる時刻情報は、各撮像装置が備える無線モジュールを介して、グループ化部４０１が相互に送受信することで共有される。
【００７６】
次に、グループ内の各撮像装置が顔画像ＤＢに予め記録している顔画像データの特徴量が、無線モジュールを介して相互に送受信され、共有される（ステップＳ１０８）。共有条件設定部４０５は、共有された顔画像データの検出を、他の撮像装置との動画像データの共有の条件として設定する。これにより、例えば、グループ化の処理を行う前に、撮像装置２のみが記録していた人物の顔画像データの特徴量を、撮像装置１が取得し記憶することができる。そして、撮像装置１が撮像した動画像データ中にその人物が含まれていた場合、その人物が含まれている部分の動画像データを撮像装置２との共有対象となる動画像データとして選別することが可能になる。
【００７７】
従って、例えば撮像装置２のユーザが、離れた場所にいる別の被写体を同時に撮像したい場合等に、一方の被写体は撮像装置２のユーザ自らが撮像し、他方の被写体は撮像装置１のユーザが撮影し、それぞれの動画像データを共有するといった連携が可能となる。
【００７８】
なお、この顔画像データの特徴量の共有の際、撮像装置１のユーザは操作部３０６の図示しないタッチパネルを押圧したり、カーソルボタン等を操作したりすることで、顔画像ＤＢ４０７が記録している全顔画像データの特徴量のうち、他の撮像装置と共有する顔画像データの特徴量を選択し、その選択に係るものだけを共有することもできる。他の撮像装置、すなわち撮像装置２及び撮像装置３についても同様である。
【００７９】
以上のように、選択した顔画像データの特徴量のみを他の撮像装置と共有することで、一部のユーザが共有を望まない人物の顔画像データが共有されてしまうことを防止することができる。また、特定の人物の動画像データが、他のユーザにとっては有益な動画像データであっても、自分にとっては不要な動画像データであった場合に、その動画像データが共有の対象となることを予め防止することもできる。
【００８０】
ユーザはさらに、共有された顔画像データの中から、自分の撮像装置で撮像する動画像データであって、他の撮像装置との共有の対象とする動画像データの選別に使用する顔画像データを指定することもできる（ステップＳ１０９）。図６を参照して、この指定の処理について以下に説明する。
【００８１】
図６は、撮像装置１の顔画像ＤＢ４０７に記録されている人物Ａの顔画像データ、撮像装置２の顔画像登録ＤＢに記録されている人物Ｂの顔画像データ，及び撮像装置３の顔画像登録ＤＢに記録されている人物Ｃの顔画像データが、上述のようにしてグループ内の撮像装置１乃至３の間で共有され、撮像装置１の液晶モニタ３０４に表示されたところを模式的に表したものである。
【００８２】
音声・画像処理部２０２は、共有の対象とする撮像データの選別に使用する顔画像データの選択をユーザに促す旨の表示Ｇ６１、人物Ａの顔画像Ｇ６２、人物Ｂの顔画像Ｇ６３、及び人物Ｃの顔画像Ｇ６４が合成された選択画像Ｇ６０を生成し、液晶モニタ３０４がその選択画像Ｇ６０を表示する。
【００８３】
ユーザは操作部３０６の図示しないタッチパネルを押圧する、又は図示しないカーソルボタン等を操作する等して、顔画像Ｇ６２、Ｇ６３及びＧ６４の中から全ての顔画像、乃至少なくとも１つの顔画像を選択し、他の撮像装置との共有の対象とする動画像データの選別に使用する顔画像データを指定する。
【００８４】
撮像装置１のユーザが人物Ａの顔画像Ｇ６２のみを指定した場合は、そのユーザが人物Ａを撮像している動画像データであって、人物Ａの顔画像が検出されたものが、撮像装置２及び撮像装置３との共有対象となる。これにより例えば、ユーザが自分の撮像装置のみが記録している顔画像データを有する人物Ａを撮像する場合であって、他のユーザが、ステップＳ１０８の前までは顔画像データを記録していなかったものの、その人物Ａの動画像データを共有してもらいたいと望むような場合に、その動画像データを共有することができる。
【００８５】
撮像装置１のユーザが人物Ｂの顔画像Ｇ６３のみを指定した場合は、そのユーザが人物Ｂを撮像している動画像データであって、人物Ｂの顔画像が検出されたものが、撮像装置２及び撮像装置３との共有対象となる。これにより例えば、人物Ｂの動画像データを欲しているのは、その人物Ｂの顔画像データを予め登録していた撮像装置２のユーザではあるが、撮像の際に人物Ｂと場所が離れてしまっている等の理由から、自分だけでは人物Ｂを思うように撮像できないような場合に、撮像装置１のユーザが人物Ｂを撮像し、その動画像データを共有対象とすることで撮像装置２のユーザの撮像の支援をする、すなわち連携した撮像を行うことが可能となる。撮像装置１のユーザが人物Ｃの顔画像Ｇ６４のみを指定した場合についても同様のことが言える。
【００８６】
撮像装置１のユーザが人物Ａの顔画像Ｇ６２，人物Ｂの顔画像Ｇ６３，及び人物Ｃの顔画像Ｇ６４の全てを指定した場合は、それらの人物を撮像している動画像データであって、それらの人物の顔画像が検出されたものが、撮像装置２及び撮像装置３との共有対象となる。これにより例えば、撮像装置１のユーザは、各人物の位置等その時々の状況に応じて、一番撮りやすい人物を撮像し、他のユーザも同様に撮像を行い、各ユーザの動画像データを共有することで、グループでの撮像を効率よく手分けして行うことが可能となる。
【００８７】
図３に戻り、ユーザが共有された顔画像データの中から、自分の撮像装置で撮像する動画像データであって、他の撮像装置との共有の対象とする動画像データの選別に使用する顔画像データを指定すると（ステップＳ１０９でＹＥＳ）、共有条件設定部４０５はステップＳ１０８で共有された顔画像データの特徴量のうち、指定された顔画像データの特徴量の検出を、他の撮像装置との動画像データの共有の条件として設定する（ステップＳ１１０）。
【００８８】
さらにユーザは、上記の顔画像検出に係る条件以外に、他の撮像装置との動画像データの共有に使用する条件を指定することもできる（ステップＳ１１１）。他の撮像装置との共有の対象とする動画像データの選別に使用する顔画像データを指定しなかった場合（ステップＳ１１１でＮＯ）も、同様に顔画像検出に係る条件以外の、他の撮像装置との動画像データの共有に使用する条件を指定することができる（ステップＳ１１１）。
【００８９】
指定される条件としては、ユーザが共有したいと考える指標になりうるものであれば特に限定されないが、例えば顔検出部４０３が検出した顔画像データに基づく顔画像のサイズ、手ぶれ補正部２１０が算出した手ぶれ量等が使用される。
【００９０】
（顔画像のサイズに関する条件の設定）
例えば、結婚式や運動会を撮像する場合のように、撮像装置のユーザが撮像現場を自由に動き回れないような状況、又は被写体が動き回るような状況では、そのユーザが撮像したいと思う状況が発生しても、自分が被写体から遠い位置に位置しており、その被写体を小さくしか撮像できないことがある。このような場合に、そのユーザは、同じように被写体を小さくしか撮像できていない他のユーザの動画像データの共有は望まないかもしれない反面、被写体を大きく撮像できている別のユーザの動画像データの共有は望むと推測される。
【００９１】
そこで、ユーザは操作部３０６を操作して、顔検出部４０３が検出した顔画像データに基づく顔画像のサイズが所定の大きさの範囲内にある動画像データのみを他の撮像装置との共有の対象とする旨の条件を指定する。この大きさの範囲は、例えば、全画面サイズ中の２０％〜７０％といったようにユーザが望む数値を入力して指定してもよいし、液晶モニタ３０４に顔画像を実際に表示して、図示しないタッチパネルの操作等により、その顔画像を拡大縮小させて指定してもよい。
【００９２】
（手ぶれ量による条件の設定）
他のユーザが共有を望む被写体を撮像した動画像データであっても、手ぶれが大きい動画像データは、共有の対象となったとしても、後で行う編集作業の際に採用されない可能性があると推測される。そこで、手ぶれ補正部２１０が算出した手ぶれ量が所定の大きさ以下の動画像データのみを他の撮像装置との共有の対象とする旨の条件を指定する。この大きさの指定は、例えば段階的に表現された手ぶれレベルで表現し、ユーザが共有に使用するレベルを選択することで行う。すなわち手ぶれが殆んどないものをレベル１、手ブレがひどいものをレベル５と五段階のレベルで表現し、ユーザがレベル３以下のレベルに当てはまる動画像データのみを共有の対象とする旨を指定する等である。
【００９３】
ユーザが、顔画像検出に係る条件以外に、他の撮像装置との動画像データの共有に使用する条件を指定すると（ステップＳ１１１でＹＥＳ）、共有条件設定部４０５はその指定された条件を、他の撮像装置との動画像データの共有の条件として設定する（ステップＳ１１２）。
【００９４】
ステップＳ１１２で共有条件設定部４０５が指定された条件を設定すると、共有条件設定部４０５は、これまでの各ステップを考慮して、他の撮像装置と共有する動画像データを選別するための最終的な条件を設定する（ステップＳ１１３）。なお、ユーザが、顔画像検出に係る条件以外に、他の撮像装置との動画像データの共有に使用する条件を指定しなかった場合（ステップＳ１１１でＮＯ）も同様である。そして、撮像装置１は、このグループ化処理を終了する。
【００９５】
なお、後述する共有する動画像データの選別処理、及びその選別処理で選別された動画像データの送受信による共有を終えた後に、グループに属する各撮像装置は、互いにグループ解除に関するグループ解除情報を互いに送受信し、上記グループを解除することになる。
【００９６】
＜共有する動画像データの選別処理＞
次に、撮像装置１が、上記のグループ化処理によってグループを形成した他の撮像装置との間で共有する動画像データを、共有条件設定部４０５が設定した条件に基づき選別する処理（方法）について説明する。この共有する動画像データの選別処理について、設定された条件のみに基づく第１の共有動画像データ選別処理、及び設定された条件及び他の撮像装置の撮像の状況に基づく第2の共有動画像データ選別処理、の２つの処理態様について以下に説明する。なお、上記グループ化処理の説明と同様に、撮像装置１とグループ化される対象として図２で例示した撮像装置２又は撮像装置３を例に挙げて以下を説明するが、グループ化処理の対象となる撮像装置の数や種類がこれに限定されるわけではない。
【００９７】
（第１の共有動画像データ選別処理）
共有条件設定部４０５に設定された条件のみに基づく第１の共有動画像データ選別処理について図７を参照して以下に説明する。図７は、撮像装置１による第１の共有動画像データ選別処理を説明するためのフローチャートである。
【００９８】
ユーザが操作部３０６の図示しない録画ボタンを押下すると、撮像部１００を介して動画像データが撮像される（ステップＳ２０１）。ステップＳ２０１で動画像データが撮像されると、その動画像データがメインメモリ２０６に記憶される（ステップＳ２０２）。
【００９９】
ステップＳ２０２で動画像データが記憶されると、共有データ選別部４０６は、上述のグループ化処理の中で共有条件設定部４０５が設定した条件に基づき、メインメモリ２０６に記憶された動画像データが、他の撮像装置に送信する共有対象となる動画像データかどうかを判定する（ステップＳ２０３）。
【０１００】
すなわち、撮像装置１、撮像装置２、及び撮像装置３のユーザが、グループ化処理の際に共有した顔画像データに係る顔画像の検出のみを条件として設定していた場合は、顔検出部４０３が共有された顔画像データの特徴量を検出した部分の動画像データが、撮像装置１が撮像装置２及び撮像装置３に送信する動画像データである旨の判定がなされる。
【０１０１】
共有した顔画像データの中から特定の顔画像データを指定し、指定された顔画像データに係る顔画像の検出をさらに条件として設定していた場合は、顔検出部４０３が指定された顔画像データの特徴量を検出した部分の動画像データが、撮像装置１が撮像装置２及び撮像装置３に送信する動画像データである旨の判定がなされる。
【０１０２】
さらに共有された顔画像データ又は指定された顔画像データに係る顔画像のサイズを条件として設定していた場合は、顔検出部４０３が共有又は指定に係る顔画像データを検出し、かつその顔画像データに係る顔画像のサイズが指定された大きさの範囲に当てはまる動画像データが、撮像装置１が撮像装置２及び撮像装置３に送信する動画像データである旨の判定がなされる。
【０１０３】
また、手ぶれ量を条件として設定していた場合は、上記に加えて指定の手ぶれ量におさまる動画像データが、撮像装置１が撮像装置２及び撮像装置３に送信する動画像データである旨の判定がなされる。
【０１０４】
共有データ選別部４０６が、メインメモリ２０６に記憶された動画像データを、他の撮像装置に送信する共有対象となる動画像データであると判定した場合（ステップＳ２０３でＹＥＳ）は、共有データ選別部４０６は判定された部分の動画像データを他の撮像装置に送信する対象として選別する（ステップＳ２０４）。すなわち、共有データ選別部４０６は、動画像データとは別のファイル（以下、「共有箇所選別ファイル」という。）に、動画像データ中のステップＳ２０３で共有対象であると判定された箇所の始点と終点を示す情報を格納する。この共有箇所選別ファイルはメインメモリ２０６に一時記憶される。
【０１０５】
ステップＳ２０４で共有データ選別部４０６が共有対象となる部分の動画像データを選別し、又は共有データ選別部４０６が動画像データは他の撮像装置に送信する共有対象ではない旨の判定をし（ステップＳ２０３でＮＯ）、ユーザが操作部３０６の図示しない録画ボタンを離す等して撮像を完了すると、撮像処理の終了とともに、この共有する動画像データの選別処理が終了される。ユーザが操作部３０６の図示しない録画ボタンを押下し続けている場合（ステップＳ２０５でＮＯ）は、ステップＳ２０１に戻り、各ステップを繰り返す。
【０１０６】
以上のようにすることで、ユーザが操作部３０６の図示しない録画ボタンを押下し（ＯＮにし）、録画ボタンを離す（ＯＦＦにする）毎に動画像データのファイルが生成される。そして、生成された動画像データのファイル内に、他の撮像装置に送信する共有対象となる部分が存在していた場合は、その部分の始点と終点の情報を格納した共有箇所選別ファイルが、一つの動画像データのファイル当たりに少なくとも１つ生成されることになる。
【０１０７】
そして、共有データ選別部４０６は、共有対象となる動画像データのファイル（以下、「共有動画像データファイル」という。）を、もとの動画像データのファイルから共有箇所選別ファイルにより関連付けられた箇所で切り出して生成する。
【０１０８】
撮像装置１のユーザは、他の撮像装置のユーザと示し合わせたタイミング、例えば結婚式や運動会等の撮像イベントが終了した後のタイミングや休憩のタイミング等で、これらの共有動画像データファイルを、無線モジュール３１０を介して他の撮像装置に送信し、他の撮像装置のユーザと共有する。
【０１０９】
或は、判定部４０２が、グループ化部４０１が撮像装置１とグループ化した他の撮像装置が、動画像を撮像中であるかどうかを判定し、撮像中ではないと判定された撮像装置が存在した場合であって、撮像装置１も撮像中でない場合に、中央制御部４００が無線モジュール３１０を介して、共有動画像データファイルをその撮像中ではない撮像装置に自動で送信するようにしてもよい。撮像装置間の無線通信はバッテリの消費の負荷、及び通信処理自体の負荷が大きい。以上のように、自動送信又は自動受信することで、バッテリの消費を抑え、また通信処理の負荷により撮像処理を始めとしたその他の処理に弊害が生じることを押さえることができる。
【０１１０】
以上のように、撮像装置１によれば、第１の共有動画像データ選別処理により共有動画像データファイルを生成し、その共有動画像データファイルを他の撮像装置と共有することができる。従って、撮像された動画像データから共有対象となる動画像データを選別し、選別された動画像データを他の撮像装置と共有することができる。
【０１１１】
よって、不要な動画像データの共有に要する時間を省略することができる。また不要な動画像データが記録媒体の容量を圧迫するのを防止することができる。さらに顔画像等の被写体の情報等から選別された動画像データが共有されているので、ユーザは撮像後の編集作業の際、ユーザが不要な撮像データを目視により確認する手間を削減することができる。
【０１１２】
（第１の共有動画像データ選別処理により共有された各動画像データ表示態様）
次に、他の撮像装置が上記第１の共有動画像データ選別処理と同様の処理により選別した動画像データを撮像装置１が受信し、撮像装置１自身が撮像した動画像データとをあわせて表示する場合の表示画像について、図８を参照して説明する。例えば、撮像装置１のユーザが、撮像の後で撮像及び共有された各動画像データの確認する際や、各動画像データを使用して編集作業を行う際等に、この表示画像が利用される。なお、以下では、液晶モニタ３０４に表示する場合を例に挙げて説明するが、入出力端子３０７を介して接続された外部のディスプレイ装置等に表示することもできる。
【０１１３】
図８は、撮像装置１が、撮像装置２及び撮像装置３が第１の共有動画像データ選別処理基づき生成した共有動画像データファイルを各撮像装置から受信し、それらの共有動画像データファイルに係る動画像データを、撮像装置１自身が撮像した動画像データと併せて液晶モニタ３０４に表示した表示画像の例である。
【０１１４】
音声画像処理部２０２は、撮像装置１が撮像した動画像データを表す画像ＰＤ８１ａ、ＰＤ８１ｂ、及びＰＤ８１ｃ、並びにそれらの動画像データが撮像装置１により撮像されたことを示す画像Ｇ８１を生成する。また、ＰＤ８１ａ、ＰＤ８１ｂ、及びＰＤ８１ｃのそれぞれに係る動画像データが生成された日時情報を示す画像ＴＧ８１ａ、ＴＧ８１ｂ、及びＴＧ８１ｃを生成する。
【０１１５】
ＴＧ８１ａは、ＰＤ８１ａに係る動画像データが２０１１年４月２８日（木）の１３時００分０５秒から１３時０４分０５秒までにかけて撮像されたものであることを表している。同様にＴＢ８１ｂは、ＰＤ８１ｂに係る動画像データが２０１１年４月２８日（木）の１３時０５分１０秒から１３時１１分１０秒まで、ＴＧ８１ｃは、ＰＤ８１ｃに係る動画像データが２０１１年４月２８日（木）１３時１３分２０秒から１３時１５分２０秒までにかけて撮像されたものであることを表している。
【０１１６】
音声・画像処理部２０２は、撮像装置２から受信した共有動画像データファイルに係る動画像データを表す画像ＰＤ８２ａ、及びそれが撮像装置２により撮像されたことを表す画像Ｇ８２を生成する。同様に音声・画像処理部２０２は、撮像装置３から受信した共有動画像データファイルに係る動画像データを表す画像ＰＤ８３ａ及びＰＤ８３ｂ、及びそれらが撮像装置３により撮像されたことを表す画像Ｇ８３を生成する。
【０１１７】
各動画像データを表す画像に関しては、代表画像生成部３０８が所定時間毎（図８の例では２分毎）に、既知の方法により各動画像データを代表する画像をサムネイル画像として生成し、生成されたサムネイル画像を用いて表される。これにより、ユーザは撮像した動画像データ及び他のユーザから受信した動画像データの内容を一目で判別し、比較することができる。
【０１１８】
音声・画像生成部２０２は上記各画像を合成した表示画像Ｇ８０を生成し、液晶モニタ３０４に表示する。なお、図８に示す表示態様はあくまで例示であり、例えば撮像装置２により撮像された動画像データを表す画像ＰＤ８２ａ等に関しても、撮像された日時を示す画像を生成し、併せて表示する等してもよい。
【０１１９】
撮像装置１乃至撮像装置３が撮像した各動画像データは、グループ化の際に共有した時刻情報に沿って、時系列順に表示される。この表示態様により、撮像装置１のユーザは自分の撮像した動画像データと、他のユーザ（撮像装置２又は撮像装置３のユーザ）が撮像した動画像データとの比較を容易に行うことができる。
【０１２０】
例えば、撮像装置１のユーザが被写体Ａを１３時００分０５秒〜１３時０４分０５秒まで撮像している一方で、ほぼ同じ時間帯に撮像装置３のユーザが被写体Ａからは離れた位置にいる被写体Ｂを撮像しており、その被写体Ｂの動画像データが共有されたとする。この被写体Ｂの動画像データを示す画像ＰＤ８３ａが、ＰＤ８１ａと並べて表示される。これにより、撮像装置１のユーザは編集作業の際に、例えば自分は被写体Ａの近くにいたので被写体Ａを撮像したが、本当に欲しかったのは被写体Ｂの動画像データであった場合等に、ＰＤ８１ａに係る動画像データとＰＤ８３ａに係る動画像データを差し替える等の判断をすることが容易となる。
【０１２１】
また、例えば、撮像装置１のユーザが被写体Ａを１３時０５分１０秒〜１３時１１分０５秒まで撮像している一方で、ほぼ同じ時間帯に撮像装置２のユーザが同じく被写体Ａを撮像しており、その動画像データが撮像装置１に共有されたとする。この共有された動画像データを示す画像ＰＤ８２ａが、ＰＤ８１ｂと並べて表示される。これにより撮像装置１のユーザは、自分の撮像した動画像データでは被写体Ａの後ろ姿や横顔しか捉えられていないが、撮像装置２から受信した動画像データは被写体Ａを正面から撮像できていると判断することができ、画像ＰＤ８２ａに係る動画像データの一部と画像ＰＤ８１ｂに係る動画像データとを差し替える等の判断をすることが容易となる。
【０１２２】
さらに、例えば、撮像装置１のユーザが被写体Ａを１３時１３分２０秒〜１３時１５分２０秒まで撮像している一方で、ほぼ同じ時間帯に撮像装置２のユーザ及び撮像装置３のユーザが同じく被写体Ａを撮像しており、その動画像データが撮像装置１に共有されたとする。撮像装置１が撮像した動画像データに係る画像ＰＤ８１Ｃ、撮像装置２が撮像した動画像データに係る画像ＰＤ８２ａ、及び撮像装置３が撮像した動画像データに係る画像ＰＤ８３ｂがそれぞれ並んで表示される。
【０１２３】
これにより撮像装置１のユーザは、３つの画像を比較し、３者の中で最も上手く撮像できている動画像データを判断して、編集作業の際に採用する等の対応を採ることができる。すなわち、撮像時に被写体Ａから遠く画像ＰＤ８１ｃに係る動画像データでは、被写体Ａが小さく且つ横顔しか撮像できていないので、撮像装置３から受信した画像ＰＤ８３ｂに係る動画像データの方を採用するといった対応をとることができる。
【０１２４】
以上のように、撮像装置１によれば、第１の共有動画像データ選別処理により選別された動画像データが他の撮像装置との間で共有され、撮像装置１の動画像データと時間的に関連付けられて表示される。したがって、ユーザは共有された他の撮像装置の動画像データを、自分の動画像データと関連付けて把握することができ、編集作業時等に選別して共有された各動画像データの中からさらに、どの動画像データを採用するかの判断等をより簡便に行うことができる。
【０１２５】
（第２の共有動画像データ選別処理）
設定された条件及び他の撮像装置の撮像の状況に基づく第2の共有動画像データ選別処理について図９を参照して以下に説明する。図９は、撮像装置１による第2の共有動画像データ選別処理を説明するためのフローチャートである。
【０１２６】
ユーザが操作部３０６の図示しない録画ボタンを押下すると、撮像部１００を介して動画像データが撮像される（ステップＳ３０１）。ステップＳ３０１で動画像データが撮像されると、その動画像データがメインメモリ２０６に記憶される（ステップＳ３０２）。
【０１２７】
ステップＳ２０２で動画像データが記憶されると、判定部４０２は、グループ化部４０１が撮像装置１とグループ化した他の撮像装置が、動画像を撮像中であるかどうかを判定する（ステップＳ３０３）。具体的には、グループ化された他の撮像装置、すなわち撮像装置２又は撮像装置３が録画ボタンをＯＮにした旨の情報及びＯＦＦにした旨の情報を無線モジュール３１０が受信し、その受信結果からその他の撮像装置が撮像中か否かを判定する。
【０１２８】
判定部４０２が他の撮像装置が撮像中であると判定すると（ステップＳ３０３でＹＥＳ）、共有データ選別部４０６はメインメモリ２０６に記憶された動画像データから共有対象を選別せずに、撮像装置１は撮像を継続する。
【０１２９】
一方で、判定部４０２が、他の撮像装置が撮像中ではないと判定すると（ステップＳ３０３でＮＯ）、共有データ選別部４０６は、上述のグループ化処理の中で共有条件設定部４０５が設定した条件に基づき、メインメモリ２０６に記憶された動画像データが、他の撮像装置に送信する共有対象となる動画像データかどうかを判定する（ステップＳ３０４）。
【０１３０】
以上のように、他の撮像装置の撮像の状況に基づいて動画像データの共有の是非を判定することで、撮像装置１のユーザは他の撮像装置のユーザ、すなわち撮像装置２又は撮像装置３のユーザが撮像を行っていない時間帯に、自らが撮像したデータを共有の対象として選別することができる。従って、例えば撮像装置２又は撮像装置３のユーザが撮像を止め休憩をとっているような状況でも、撮像装置１のユーザが撮像した動画像データで必要なものは、共有の対象として自動的に取得することができる。
【０１３１】
なお、共有データ選別部４０６による共有対象となる動画像データかどうかの判定は、上述の図７のステップＳ２０３で述べたものと同様にして行われる。すなわち、撮像装置１、撮像装置２、及び撮像装置３のユーザが、グループ化処理の際に共有した顔画像データに係る顔画像の検出のみを条件として設定していた場合は、顔検出部４０３が共有された顔画像データの特徴量を検出した部分の動画像データが、撮像装置１が撮像装置２及び撮像装置３に送信する動画像データである旨の判定がなされる。
【０１３２】
共有した顔画像データの中から特定の顔画像データを指定し、指定された顔画像データに係る顔画像の検出をさらに条件として設定していた場合は、顔検出部４０３が指定された顔画像データの特徴量を検出した部分の動画像データが、撮像装置１が撮像装置２及び撮像装置３に送信する動画像データである旨の判定がなされる。
【０１３３】
さらに共有された顔画像データ又は指定された顔画像データに係る顔画像のサイズを条件として設定していた場合は、顔検出部４０３が共有又は指定に係る顔画像データを検出し、かつその顔画像データに係る顔画像のサイズが指定された大きさの範囲に当てはまる動画像データが、撮像装置１が撮像装置２及び撮像装置３に送信する動画像データである旨の判定がなされる。
【０１３４】
また、手ぶれ量を条件として設定していた場合は、上記に加えて指定の手ぶれ量におさまる動画像データが、撮像装置１が撮像装置２及び撮像装置３に送信する動画像データである旨の判定がなされる。
【０１３５】
共有データ選別部４０６が、メインメモリ２０６に記憶された動画像データを、他の撮像装置に送信する共有対象となる動画像データであると判定した場合（ステップＳ３０４でＹＥＳ）は、共有データ選別部４０６は判定された動画像データを他の撮像装置に送信する対象として選別する（ステップＳ３０５）。すなわち、共有データ選別部４０６は、共有箇所選別ファイルに、動画像データ中のステップＳ３０４で共有対象であると判定された箇所の始点と終点を示す情報を格納する。この別のファイルはメインメモリ２０６に一時記憶する。
【０１３６】
ステップＳ３０３で判定部４０２が他の撮像装置が撮像中である旨の判定をし（ステップＳ３０３でＹＥＳ）、ステップＳ３０５で共有データ選別部４０６が共有対象となる動画像データを選別し、又は共有データ選別部４０６が動画像データは他の撮像装置に送信する共有対象ではない旨の判定をし（ステップＳ３０４でＮＯ）、ユーザが操作部３０６の図示しない録画ボタンを離す等して撮像を完了すると（ステップＳ３０６でＹＥＳ）、撮像処理の終了とともに、この共有する動画像データの選別処理が終了される。ユーザが操作部３０６の図示しない録画ボタンを押下し続けている場合（ステップＳ３０６でＮＯ）は、ステップＳ３０１に戻り、各ステップを繰り返す。
【０１３７】
以上のようにすることで、ユーザが操作部３０６の図示しない録画ボタンを押下し（ＯＮにし）、録画ボタンを離す（ＯＦＦにする）毎に動画像データのファイルが生成される。そして、他の撮像装置が撮像中にない時間帯に生成された動画像データのファイル内に、他の撮像装置に送信する共有対象となる部分が存在していた場合は、その部分の始点と終点の情報を格納した共有箇所選別ファイルが、一つの動画像データのファイル当たりに少なくとも１つ生成されることになる。
【０１３８】
そして、共有データ選別部４０６は、共有動画像データファイルを、もとの動画像データのファイルから共有箇所選別ファイルにより関連付けられた箇所で切り出して生成する。
【０１３９】
撮像装置１のユーザは、他の撮像装置のユーザと示し合わせたタイミング、例えば結婚式や運動会等の撮像イベントが終了した後のタイミングや休憩のタイミング等で、これらの共有動画像データファイルを、無線モジュール３１０を介して他の撮像装置に送信し、他の撮像装置のユーザと共有する。
【０１４０】
或は、判定部４０２が、グループ化部４０１が撮像装置１とグループ化した他の撮像装置が、動画像を撮像中であるかどうかを判定し、撮像中ではないと判定された撮像装置が存在した場合であって、撮像装置１も撮像中でない場合に、中央制御部４００が無線モジュール３１０を介して、共有動画像データファイルをその撮像中ではない撮像装置に自動で送信するようにしてもよい。撮像装置間の無線通信はバッテリの消費の負荷、及び通信処理自体の負荷が大きい。以上のように、自動送信又は自動受信することで、バッテリの消費を抑え、また通信処理の負荷により撮像処理を始めとしたその他の処理に弊害が生じることを押さえることができる。
【０１４１】
以上のように、撮像装置１によれば、第２の共有動画像データ選別処理により他の撮像装置が撮像中であるかどうかを考慮して共有動画像データファイルを生成し、その共有動画像データファイルを他の撮像装置を共有することができる。従って、他の撮像装置が撮像していなかった時間帯の動画像データから共有対象となる動画像データを選別し、選別された動画像データを他の撮像装置と共有することができる。
【０１４２】
よって、複数の撮像装置が重複して撮像していた動画像データを始めとした不要な動画像データの共有に要する時間を省略することができる。またこれらの不要な動画像データが記録媒体の容量を圧迫するのを防止することができる。さらに顔画像等の被写体の情報等から選別された動画像データが共有されているので、ユーザは撮像後の編集作業の際、ユーザが不要な撮像データを目視により確認する手間を削減することができる。
【０１４３】
（第２の共有動画像データ選別処理により共有された各動画像データ表示態様）
次に、他の撮像装置が上記第２の共有動画像データ選別処理と同様の処理により選別した動画像データを撮像装置１が受信し、撮像装置１自身が撮像した動画像データとをあわせて表示する場合の表示画像について、図１０を参照して説明する。例えば、撮像装置１のユーザが、撮像の後で撮像及び共有された各動画像データの確認する際や、各動画像データを使用して編集作業を行う際等に、この表示画像が利用される。なお、以下では、液晶モニタ３０４に表示する場合を例に挙げて説明するが、入出力端子３０７を介して接続された外部のディスプレイ装置等に表示することもできる。
【０１４４】
図１０は、撮像装置１が、撮像装置２及び撮像装置３が第２の共有動画像データ選別処理基づき生成した共有動画像データファイルを各撮像装置から受信し、それらの共有動画像データファイルに係る動画像データを、撮像装置１自身が撮像した動画像データと併せて液晶モニタ３０４に表示した表示画像の例である。
【０１４５】
音声・画像処理部２０２は、撮像装置１が撮像した動画像データを表す画像ＰＤ１０１ａ及びＰＤ１０１ｂ、並びにそれらの動画像データが撮像装置１により撮像されたことを示す画像Ｇ１０１を生成する。またＰＤ１０１ａ及びＰＤ１０１ｂのそれぞれに係る動画像データが生成された日時情報を示す画像ＴＧ１０１ａ及びＴＧ１０１ｂを生成する。
【０１４６】
ＴＧ１０１ａは、ＰＤ１０１ａに係る動画像データが２０１１年４月２８日（木）の１４時００分０５秒から１４時０６分０５秒までに掛けて撮像されたものであることを表している。同様にＴＧ１０１ｂは、ＰＤ１０１ｂに係る動画像データが２０１１年４月２８日（木）の１４時０８分０５秒から１４時１２分０５秒までにかけて撮像されたものであることを表している。
【０１４７】
音声・画像処理部２０２は、撮像装置２から受信した共有動画像データファイルに係る動画像データを表す画像ＰＤ１０２、及びそれが撮像装置２により撮像されたことを表す画像Ｇ１０２を生成する。同様に音声・画像処理部２０２は、撮像装置３から受信した共有動画像データファイルに係る動画像データを表す画像ＰＤ１０３及びそれが撮像装置３により撮像されたことを表す画像Ｇ１０３を生成する。
【０１４８】
各動画像データを表す画像に関しては、代表画像生成部４０８が所定時間毎（図１０の例では２分毎）に、既知の方法により各動画像データを代表する画像をサムネイル画像として生成し、生成されたサムネイル画像を用いて表される。これにより、ユーザは撮像した動画像データ及び他のユーザから受信した動画像データの内容を一目で判別し、比較することができる。
【０１４９】
音声・画像生成部は上記各画像を合成した表示画像Ｇ１００を生成し、液晶モニタ３０４に表示する。なお、図１０に示す表示態様はあくまで例示であり、例えば撮像装置２により撮像された動画像データを表す画像ＰＤ１０２等に関しても、撮像された日時を示す画像を生成し、併せて表示してもよい。
【０１５０】
撮像装置１乃至撮像装置３が撮像した各動画像データは、グループ化の際に共有した時刻情報に沿って、時系列順に表示される。この表示態様により、撮像装置１のユーザは自分の撮像した動画像データと、他のユーザ（撮像装置２又は撮像装置３のユーザ）が撮像した動画像データとの比較を容易に行うことができる。
【０１５１】
そして、上述のとおり第2の共有動画像データ選別処理では、他の撮像装置の撮像状況が動画像データの共有に考慮される。したがって、例えば撮像装置１のユーザが、ある時間帯に存在したシャッタチャンスを、休憩等で撮影現場を外していた、又は撮像し損なった等の理由から逃したとしても、その時間帯に他の撮像装置が撮像した撮像した動画像データが所定の条件を満たしていれば、その動画像データは共有されて、グループ化の際に共有した時刻情報に沿って、時系列順に表示される。
【０１５２】
これにより、撮像装置１のユーザが撮像を行っていなかった時間帯における、他のユーザの動画像データであって、所定の条件を満たすものを自動的に共有することができるので、編集作業の際に撮り逃した動画像データを容易に見つけること等ができ、各動画像データの編集作業をより簡便に行うことができる。
【０１５３】
図１０では、撮像装置１のユーザが撮像を行わなかった１４時０６分０６秒から１４時０８分０４秒までの間に、撮像装置２のユーザが撮像した被写体Ａの動画像データ、及び撮像装置３のユーザが撮像した被写体Ｂの動画像データが共有され、それぞれＰＤ１０２及びＰＤ１０３として並べて表示されている。
【０１５４】
したがって、例えば、撮像装置１のユーザは編集作業の際に、自分が撮り逃していた１４時０６分０６秒から１４時０８分０４秒までの時間帯における、撮像装置２が撮像した画像ＰＤ１０３に係る動画像データを、自分が撮像した他の被写体Ａの動画像データ、例えば画像ＰＤ１０１ａやＰＤ１０１ｂに追加する等の判断をすることが容易となる。
【０１５５】
また、例えば、撮像装置１のユーザは編集作業の際に、自分が撮像を行わなかった１４時０６分０６秒から１４時０８分０４秒までの時間帯における、被写体Ｂのシャッタチャンスを捉えていた撮像装置３による画像ＰＤ１０３に係る動画像データを編集データに組み込む等の判断も容易に行うことができる。
【０１５６】
以上のように、撮像装置１によれば、第２の共有動画像データ選別処理により選別された動画像データが他の撮像装置との間で共有され、撮像装置１の動画像データと時間的に関連付けられて表示される。したがって、ユーザは自分が撮像を行わなかった時間帯における、共有された他の撮像装置の動画像データを、自分の動画像データと関連付けて把握することができ、編集作業時等に選別された各動画像データの中からさらに、どの動画像データを採用するかの判断等をより簡便に行うことができる。
【０１５７】
上述の例では、判定部４０２が他の撮像装置が撮像中でない場合に、撮像されている動画像データを共有の対象としたが、反対に、判定部４０２が他の撮像部も撮像中であると判定した場合に、撮像された動画像データを共有の対象とするようにしてもよい。
【０１５８】
このような構成とすることで、自分が撮像した動画像データと同じ時間帯の他のユーザの動画像データを共有対象とし、他のユーザが自分よりも上手く撮像した動画像データ等、編集作業時の差替えの対象となる動画像データを自動的に選別して取得することができる。
【符号の説明】
【０１５９】
１、２、３  撮像装置
１００  撮像部
２０２  音声・画像処理部
２０６  メインメモリ
２０８  ジャイロセンサ
２０９  時計
２１０  手ぶれ補正部
３０１  カードＩ／Ｆ
３０２  カード型記録媒体
３０３  入出力Ｉ／Ｆ
３０４  液晶モニタ
３０６  操作部
３０７  入出力端子
３０８  代表画像生成部
３０９  無線Ｉ／Ｆ
３１０  無線モジュール
４００  中央制御部
４０１  グループ化部
４０２  判定部
４０３  顔検出部
４０４  顔認識部
４０５  共有条件設定部
４０６  共有データ選別部
４０７  顔画像ＤＢ
【図１】
0005724592.tif 000002
【図２】
0005724592.tif 000003
【図３】
0005724592.tif 000004
【図４】
0005724592.tif 000005
【図５】
0005724592.tif 000006
【図６】
0005724592.tif 000007
【図７】
0005724592.tif 000008
【図８】
0005724592.tif 000009
【図９】
0005724592.tif 000010
【図１０】
0005724592.tif 000011